(57)【特許請求の範囲】
【請求項１】
回転するフロアブラシの上部に洗浄水を与えながら床面を洗浄する上部給水型フロアブラシにおいて、ドーナツの形をしたフロアブラシの上部の中央にある穴の周囲全体に洗浄水の給水を受ける円輪状の溝を設け、この溝の外枠を形成する縦面には、前記溝から供給された洗浄水が、上記フロアブラシの回転によって生じる遠心力によって、外方向に流動することができるように形成された独立する適当数の横穴を設け、この横穴にはブラシの毛先に通ずる縦の管を設けたことを特徴とする上部給水型フロアブラシ。
【発明の詳細な説明】
【０００１】
【発明の属する技術分野】
この発明は、床面を洗浄するタンク付ポリッシャー等の床洗浄機に使用されているドーナツの形をしたフロアブラシの中で、回転するブラシの上部に洗浄水を与えながら床面を洗浄する上部給水型フロアブラシに関するものである。
【０００２】
【従来の技術】
従来使用されている上部給水型フロアブラシは、ドーナツの形をしたフロアブラシの上部の中央にある床洗浄機の回転盤への取り付け穴の周囲に、洗浄水の給水を受ける溝を円形に設け、この溝の底に穴をあけて給水された洗浄水をブラシの毛先の方に通すという単純な構造のため、溝に給水される洗浄水がブラシの回転の遠心力をまともに受けるので底の穴に入りにくく、多くの洗浄水が溝の外枠の縁を越えてブラシの上部の周囲全体から飛び跳ねている。また、溝の底の穴を通過してブラシの毛の方に出た洗浄水も再度回転の遠心力を受けるため、ブラシの毛の部分の周囲全体からも多くの洗浄水が常に飛び跳ねている。
しかも近年、いずれの床洗浄機も洗浄能力を高めるためにブラシの回転を早める傾向にあり、前記の現象は更に激しいものとなっている。
【０００３】
【発明が解決しようとする課題】
これは次のような欠点があった。
（イ）  床を洗浄する前に、床に置いてある物で水が跳ねて困る物は、机等に上げるか移動しなければならないので時間と手間の掛かる作業を強いられていた。
（ロ）  床を洗浄する前に、床に置いてある物で水が跳ねて困る動かせない物は、下の方をウエスやビニール等で覆う必要があるので養生する作業が煩わしかった。
（ハ）  回転するフロアブラシの周囲の床に飛び跳ねた洗浄水がだぶついているので、床に置いてある物に回転するフロアブラシを近づけて床面を洗浄すると、物の下に洗浄水を押し込んでしまう心配が常に伴っていた。
（ニ）  ブラシの進行方向以外に飛び跳ねた多くの洗浄水が、回転するブラシの毛先に触れないので、洗浄能力を発揮できないまま無駄になっていた。
本発明は、これらの欠点を無くすためになされたものである。
【０００４】
【課題を解決するための手段】
回転するフロアブラシの上部に洗浄水を与えながら床面を洗浄する上部給水型フロアブラシ（１）において、ドーナツの形をしたフロアブラシの上部（２）の中央にある回転盤への取り付け穴（９）の周囲に、洗浄水の給水を受ける溝（３）を円形に設け、この溝（３）の外枠の縦面（４）に横穴（５）を適当に設け、各横穴の先端（６）に、ブラシの毛先（７）に通ずる縦の管（８）を設ける。
本発明は、以上の構造よりなる上部給水型フロアブラシである。
【０００５】
【発明の実施の形態】
以下、本発明の実施の形態について説明する。
（イ）  上部給水型フロアブラシ（１）において、ドーナツの形をしたフロアブラシの上部（２）の中央にある床洗浄機の回転盤への取り付け穴（９）の周囲に、洗浄水の給水を受けられるように溝（３）を円形に設ける。
（ロ）  円形に設けた溝（３）の外枠になる縦面（４）に、横穴（５）を外方向に適当な数だけ設ける。
（ハ）  各横穴の先端（６）の底に、ブラシの毛先（７）に通ずる縦の管（８）を設ける。
本発明は、以上の構造からなっている。
本発明を使用するときは、まず最初に、本発明を使用できるタンク付ポリッシャー等の床洗浄機のブラシを取り付ける回転盤に、本発明の上部給水型フロアブラシ（１）を専用の取り付け器具を用いて装着する。そして、後は従来通り床洗浄機を作動して装着したブラシを回転させると同じに、床洗浄機のタンクより溝（３）に適量の洗浄水の給水を受けながら床洗浄機を操作して床面を洗浄する。
このようにすると、図２で示すように、回転するブラシの溝（３）に次々に給水される適量の洗浄水（１１）は、ブラシの回転の遠心力を受けて溝（３）の外枠になる縦面（４）に次々に流れ着くが、縦面（４）の回転の早さに付いて行くことができない洗浄水（１１）は、縦面（４）に設けた外方向の横穴（５）に遠心力を受けて次々に飛び込むようにして入り込んで行く。そして、各横穴（５）に入り込んだ洗浄水（１１）は、次々に横穴（５）に入り込んで来る洗浄水（１１）に押されるようにして横穴の先端（６）からブラシの毛先（７）に通ずる縦の管（８）に入り込んで、こんどは、縦の管（８）の洗浄水（１１）が引力に引かれるように次々に下がってブラシの毛先（７）に容易に到達することができる。
従って、回転する上部給水型フロアブラシ（１）の溝（３）に次々に給水される適量の洗浄水（１１）は、ブラシの周囲全体から飛び跳ねることもなく、すべての洗浄水を回転するブラシの毛先（７）の床に容易に供給することができる。
また、横穴（５）の大きさや数や長さを変えることにより、溝（３）に給水される洗浄水（１１）をブラシの毛先（７）の目差す所に自由に供給することができる。
また、縦の管（８）の材質をブラシの毛と同質か少し摩耗の早い材質にすると、多数のブラシの毛先（７）と少数の縦の管（８）の先端が同一に摩耗するので、長期に使用しても洗浄水をブラシの毛先（７）の床に安定して供給することができる。
【０００６】
【発明の効果】
本発明の上部給水型フロアブラシ（１）を、タンク付ポリッシャー等の床洗浄機に装着して床面を洗浄することにより、長年無くすことができなかった図３の回転する同ブラシからの水跳ねを図４のように無くすことができるので、床面を洗浄するときに床に置いてある物を濡らしたり汚したりするのを防ぐことができる。しかも、従来のように回転するブラシの周囲の床に飛び跳ねた洗浄水がだぶつくこともないので、床に置いてある物に回転するブラシを近づけて床面を洗浄しても、物の下に洗浄水を押し込む心配もない。
これによって、床面を洗浄するときに床に置いてある椅子や簡単に動かせる物は少しずらしながら洗浄し、ロッカー等の重い物や手を触れたくない物は、そのまま周囲の床を簡単に洗浄できるので、従来のように床に置いてあるほとんどの物を机に上げたり他に移動することも不要になるため、床面洗浄に対する労力を大幅に軽減できるだけでなく、洗浄中も床に置いてある物を濡らしたり汚したりする不安も解消できるので安心して作業することができ、作業の能率も向上する。
また、回転するブラシから洗浄水が跳ねなくなるので、面倒な養生作業やブラシの周囲に取り付ける水跳ね防止用のカバーも不要になる。
また、この上部給水型フロアブラシ（１）は大きさに関係なく、すべての洗浄水をブラシの毛先（７）の床に供給できるので無駄なく洗浄水を利用できる。
しかも、この上部給水型フロアブラシ（１）を使用すると、回転するブラシが通った床面だけに均一に洗浄水を置いて行くので、洗浄部分の汚水の回収や拭き取りが簡単にできるために多くの水を節水できる。
なお、本発明の上部給水型フロアブラシ（１）は、床面の洗浄だけに限定されるものではなく、平面の塗装や平面への液体の塗布等にも幅広く応用できるものである。
【図面の簡単な説明】
【図１】  本発明の斜視図である。
【図２】  本発明の使用時におけるＡ−Ａ’の縦断面図である。
【図３】  従来の使用中の側面図である。
【図４】  本発明の使用中の側面図である。
【符号の説明】
１  上部給水型フロアブラシ    ２  上部    ３  溝    ４  縦面
５  横穴    ６  横穴の先端    ７  ブラシの毛先    ８  縦の管
９  回転盤への取り付け穴    １０  床洗浄機の回転盤    １１  洗浄水
【図１】
0003831843.tif 000002
【図２】
0003831843.tif 000003
【図３】
0003831843.tif 000004
【図４】
0003831843.tif 000005